(57)【特許請求の範囲】
【請求項１】
部品の寿命情報、使用量情報、及び前記寿命情報を書き換えるべきか否かの使用目的情報を記憶した第１の記憶部を有し、着脱自在に交換可能であって、前記部品により記録媒体に画像を形成する画像形成ユニットと、
前記第１の記憶部に対して情報の読み出し及び書き込みを行い、前記画像形成ユニットの寿命を管理する寿命管理手段と、
前記寿命管理手段により前記第１の記憶部から読み出された前記寿命情報及び前記使用量情報を記憶する第２の記憶部と、を備え、
前記寿命管理手段は、前記第１の記憶部に記憶された前記使用目的情報から前記寿命情報を書き換えるべきと判断し、前記第２の記憶部に記憶された前記寿命情報及び前記使用量情報から残り寿命情報を算出し、交換された前記画像形成ユニットの前記第１の記憶部に記憶された交換された前記寿命情報が前記残り寿命情報よりも長い場合は、前記交換された寿命情報の値を前記残り寿命情報の値に書き換えることを特徴とする画像形成装置。
【請求項２】
部品の寿命情報、使用量情報、及び前記寿命情報を書き換えるべきか否かの使用目的情報を記憶した第１の記憶部を有し、着脱自在に交換可能であって、前記部品により記録媒体に画像を形成する画像形成ユニットと、
前記第１の記憶部に対して情報の読み出し及び書き込みを行い、前記画像形成ユニットの寿命を管理する寿命管理手段と、
前記寿命管理手段により前記第１の記憶部から読み出された前記寿命情報及び前記使用量情報を記憶すると共に、前記部品の寿命不足情報を記憶する第２の記憶部と、を備え、
前記寿命管理手段は、前記第１の記憶部に記憶された前記使用目的情報から前記寿命情報を書き換えるべきと判断し、前記第２の記憶部に記憶された前記寿命情報、前記使用量情報及び前記寿命不足情報から残り寿命情報を算出し、交換された前記画像形成ユニットの前記第１の記憶部に記憶された交換された前記寿命情報から交換された前記使用量情報を引いた値が前記残り寿命情報よりも長い場合は、前記交換された寿命情報の値を前記残り寿命情報の値に前記交換された使用量情報の値を加えた値に書き換えることを特徴とする画像形成装置。
【請求項３】
前記画像形成ユニットは、消耗品であり、
前記第１及び第２の記憶部は、不揮発性メモリによりそれぞれ構成されていることを特徴とする請求項１又は２記載の画像形成装置。
【請求項４】
前記寿命管理手段は、無線により、前記第１の記憶部に対して前記情報の読み出し及び書き込みを行うことを特徴とする請求項１又は２記載の画像形成装置。
【請求項５】
前記寿命管理手段は、画像形成装置全体を制御するプログラムに従って、前記画像形成ユニット及び前記第２の記憶部を制御することを特徴とする請求項１又は２記載の画像形成装置。
【請求項６】
前記寿命情報は、寿命ページ数情報であり、
前記使用量情報は、印刷ページ数情報であり、
前記使用目的情報は、標準品か保守交換品かの種別を表す情報であり、
前記残り寿命情報は、前記寿命ページ数情報から前記印刷ページ数情報を引いた値であることを特徴とする請求項１記載の画像形成装置。
【請求項７】
前記寿命情報は、寿命ページ数情報であり、
前記使用量情報は、印刷ページ数情報であり、
前記使用目的情報は、標準品か保守交換品かの種別を表す情報であり、
前記寿命不足情報は、不足印刷ページ数情報であり、
前記残り寿命情報は、前記寿命ページ数情報から前記印刷ページ数情報を引き、前記不足印刷ページ数情報を加えた値であることを特徴とする請求項２記載の画像形成装置。
【発明の詳細な説明】
【技術分野】
【０００１】
本発明は、部品の寿命管理を行う画像形成装置に関するものである。
【背景技術】
【０００２】
従来、例えば、下記の特許文献１に記載された複写機等の画像形成装置は、消耗品である交換可能な画像形成ユニットを有し、この画像形成ユニットの寿命管理を行って交換時期を報知するようになっている。
【先行技術文献】
【特許文献】
【０００３】
【特許文献１】特開２００４−２２６９２１号公報
【発明の概要】
【発明が解決しようとする課題】
【０００４】
しかしながら、従来の画像形成装置では、消耗品である画像形成ユニットに起因する印刷品位の低下した状態等、画像形成装置によって自動検出困難な状態に陥る場合がある。言い換えると、ユーザ（使用者）の判断によって判る故障が発生する場合が存在する。この場合、サービス業者側では、新品の消耗品と交換して対応する。ユーザとサービス業者との間で、所定の寿命を持った消耗品を提供する場合、消耗品の交換後で正確な寿命管理ができなくなるという課題があった。
【課題を解決するための手段】
【０００５】
本発明の内の第１の発明の画像形成装置は、部品の寿命情報、使用量情報、及び前記寿命情報を書き換えるべきか否かの使用目的情報を記憶した第１の記憶部を有し、着脱自在に交換可能であって、前記部品により記録媒体に画像を形成する画像形成ユニットと、前記第１の記憶部に対して情報の読み出し及び書き込みを行い、前記画像形成ユニットの寿命を管理する寿命管理手段と、前記寿命管理手段により前記第１の記憶部から読み出された前記寿命情報及び前記使用量情報を記憶する第２の記憶部とを備えている。そして、前記寿命管理手段は、前記第１の記憶部に記憶された前記使用目的情報から前記寿命情報を書き換えるべきと判断し、前記第２の記憶部に記憶された前記寿命情報及び前記使用量情報から残り寿命情報を算出し、交換された前記画像形成ユニットの前記第１の記憶部に記憶された交換された前記寿命情報が前記残り寿命情報よりも長い場合は、前記交換された寿命情報の値を前記残り寿命情報の値に書き換えることを特徴とする。
【０００６】
本発明の内の第２の発明の画像形成装置は、部品の寿命情報、使用量情報、及び前記寿命情報を書き換えるべきか否かの使用目的情報を記憶した第１の記憶部を有し、着脱自在に交換可能であって、前記部品により記録媒体に画像を形成する画像形成ユニットと、前記第１の記憶部に対して情報の読み出し及び書き込みを行い、前記画像形成ユニットの寿命を管理する寿命管理手段と、前記寿命管理手段により前記第１の記憶部から読み出された前記寿命情報及び前記使用量情報を記憶すると共に、前記部品の寿命不足情報を記憶する第２の記憶部とを備えている。そして、前記寿命管理手段は、前記第１の記憶部に記憶された前記使用目的情報から前記寿命情報を書き換えるべきと判断し、前記第２の記憶部に記憶された前記寿命情報、前記使用量情報及び前記寿命不足情報から残り寿命情報を算出し、交換された前記画像形成ユニットの前記第１の記憶部に記憶された交換された前記寿命情報から交換された前記使用量情報を引いた値が前記残り寿命情報よりも長い場合は、前記交換された寿命情報の値を前記残り寿命情報の値に前記交換された使用量情報の値を加えた値に書き換えることを特徴とする。
【発明の効果】
【０００７】
第１の発明の画像形成装置によれば、画像形成ユニットが有する第１の記憶部に、使用目的情報を持たせることによって、ユーザから要求にてサービス員が、故障した画像形成ユニットの交換を実施する場合、交換後の画像形成ユニットの寿命を、「交換前の寿命」−「交換前使用量」、と変更する。そのため、消耗品である画像形成ユニットの交換前後でトータル（合計）の寿命が同一になり、正確な寿命管理ができる。
【０００８】
第２の発明の画像形成装置によれば、第２の記憶部に部品の寿命不足情報を持たせることによって、保守用で交換された画像形成ユニットの残りの使用可能量が交換前の使用可能量よりも少ない場合、動作が継続でき、保守交換の作業の現場で新たな画像形成ユニットを準備しておく必要がない。保守用で交換した画像形成ユニットの寿命がきた場合、再度サービス業者への要求を促すことができる。
【図面の簡単な説明】
【０００９】
【図１】図１は本発明の実施例１における図２のプリンタ１の制御機構を示す構成ブロック図である。
【図２】図２は本発明の実施例１における画像形成装置としてのプリンタの概略構成を示す側方断面図である。
【図３】図３は図１中のメモリタグ２２のメモリ構造を示す模式図である。
【図４】図４は図１中のＥＥＰＲＯＭ３１のメモリ構造を示す模式図である。
【図５】図５は図１のプリンタ制御部３０による画像形成ユニット２０内のメモリタグ２２の読み出し時の動作を示すフローチャートである。
【図６】図６は図１のプリンタ制御部３０による画像形成ユニット２０内のメモリタグ２２への書き込み時の動作を示すフローチャートである。
【図７】図７は本発明の実施例２におけるＥＥＰＲＯＭのメモリ構造を示す模式図である。
【図８】図８は図１のプリンタ制御部３０による画像形成ユニット２０内のメモリタグ２２の読み出し時の動作を示すフローチャートである。
【図９】図９は図１のプリンタ制御部３０による画像形成ユニット２０内のメモリタグ２２への書き込み時の動作を示すフローチャートである。
【発明を実施するための形態】
【００１０】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１１】
（実施例１の構成）
図２は、本発明の実施例１における画像形成装置としてのプリンタの概略構成を示す側方断面図である。
【００１２】
画像形成装置としてのプリンタ１は、プリンタ本体を収納する筐体２を有し、この筐体２の上部に、開閉可能なトップカバー部３が設けられている。筐体２内の下部には、印刷用紙等の記録媒体１０を格納する記録媒体格納部１１が、挿脱自在に装着されている。記録媒体格納部１１における記録媒体排出側には、記録媒体格納部１１から記録媒体１０を１枚ずつ取り出すための給紙ローラ１２が設けられている。給紙ローラ１２の搬送路下流側には、取り出された記録媒体１０を画像形成部方向へ搬送するための第１、第２のレジストローラ１３−１，１３−２が配設されている。
【００１３】
第１のレジストローラ１３−１の手前の上流側には、記録媒体１０の到達を検知するための走行系センサ１４−１が配設されている。第２のレジストローラ１３−２の下流側には、記録媒体１０の到達を検知するための走行系センサ１４−２が配設されている。更に、レジストローラ１３−２の下流側には、記録媒体１０が画像形成部に到達するタイミングを検知するための走行系センサ１４−３が配設されている。
【００１４】
走行系センサ１４−３の下流側には、画像形成部が配設されている。画像形成部は、帯電、露光、現像、転写、及び定着による電子写真プロセスによって記録媒体１０上に画像を形成するものであり、搬送ローラ１５，１６により駆動される搬送ベルト１７と、複数の転写ローラ１８と、複数の画像形成ユニット２０と、露光部としての複数の発光ダイオード（以下「ＬＥＤ」という。）ヘッド２５と、定着部２６等とにより構成されている。
【００１５】
搬送ベルト１７は、一対のローラ１５，１６間に張設されて回転駆動され、送られてきた記録媒体１０を画像形成部の下流側へ搬送する無端状のベルトである。搬送ベルト１７の内側には、複数の転写ローラ１８（例えば、ブラック転写ローラ１８Ｋ、イエロー転写ローラ１８Ｙ、マゼンダ転写ローラ１８Ｍ、及びシアン転写ローラ１８Ｃ）が所定間隔に配置されている。
【００１６】
搬送ベルト１７の上側には、この搬送ベルト１７を挟んで複数の転写ローラ１８と対峙する位置に、消耗品である複数の画像形成ユニット２０（例えば、ブラック画像形成ユニット２０Ｋ、イエロー画像形成ユニット２０Ｙ、マゼンダ画像形成ユニット２０Ｍ、及びシアン画像形成ユニット２０Ｃ）が、筐体２に対して独立して着脱可能に装着されている。
【００１７】
各画像形成ユニット２０内には、像担持体としての各感光ドラム２１（＝２１Ｋ，２１Ｙ，２１Ｍ，２１Ｃ）と、第１の記憶部としての各第１のメモリタグ２２（＝２２Ｋ，２２Ｙ，２２Ｍ，２２Ｃ）と、現像剤としての各色のトナーを収納する各トナーカートリッジ２３（＝２３Ｋ，２３Ｙ，２３Ｍ，２３Ｃ）とが設けられている。
【００１８】
各感光ドラム２１は、搬送ベルト１７を挟んで、各転写ローラ１８と対峙する位置に配置されている。各感光ドラム２１は、図示しない帯電手段によりその表面が帯電された後、各ＬＥＤヘッド２５（＝２５Ｋ，２５Ｙ，２５Ｍ，２５Ｃ）により画像データに対応して露光されることで、その表面に印刷データに応じた静電潜像を形成可能なドラムである。各感光ドラム２１の表面上に形成されたトナー像は、各転写ローラ１８によって記録媒体１０上に転写される。
【００１９】
各第１のメモリタグ２２（＝２２Ｋ，２２Ｙ，２２Ｍ，２２Ｃ）は、不揮発性メモリを有し、この不揮発性メモリ内に、消耗品情報（例えば、各画像形成ユニット２０の使用量情報としての印刷ページ数情報、寿命情報としての寿命ページ数情報、及び使用目的情報としての種別情報）が記憶される。
【００２０】
各トナーカートリッジ２３（＝２３Ｋ，２３Ｙ，２３Ｍ，２３Ｃ）は、各画像形成ユニット２０（＝２０Ｋ，２０Ｙ，２０Ｍ，２０Ｃ）に対して着脱可能に装着され、内部に収納されたトナーを各画像形成ユニット２０内に供給する構造になっている。各トナーカートリッジ２３は、各第２のメモリタグ２４（＝２４Ｋ，２４Ｙ，２４Ｍ，２４Ｃ）を備えている。各第２のメモリタグ２４は、不揮発性メモリを有し、この不揮発性メモリ内に、消耗品情報（例えば、トナーの残量情報）が記憶される。
【００２１】
各ＬＥＤヘッド２５（＝２５Ｋ，２５Ｙ，２５Ｍ，２５Ｃ）は、各感光ドラム２１（＝２１Ｋ，２１Ｙ，２１Ｍ，２１Ｃ）の表面に対し、印刷データに応じた光を照射するものであり、開閉可能なトップカバー部３に取り付けられている。各ＬＥＤヘッド２５は、トップカバー部３が開けられると、各感光ドラム２１の表面から離間し、トップカバー部３が閉じられると、各感光ドラム２１の表面に近接して感光ドラム表面を露光可能にする。
【００２２】
定着部２６は、ローラ１６の下流側に配置され、記録媒体１０上に転写されたトナー像を熱と圧力により定着させるものであり、例えば、加熱ローラ２６ａと、記録媒体１０を挟んでその加熱ローラ２６ａに圧接する加圧ローラ２６ｂ等とで、構成されている。定着部２６の下流側には、走行系センサ１４−４が配置されている。走行系センサ１４−４は、定着部２６から記録媒体１０が排出されたことを検知するためのセンサである。この走行系センサ１４−４の下流側には、排出された記録媒体１０を堆積するための排出スタッカ部２７が設けられている。
【００２３】
給紙ローラ１２、第１、第２のレジストローラ１３−１，１３−２、各感光ドラム２１、各転写ローラ１８、及び定着部２６は、図示しないモータにより駆動され、記録媒体１０をプリンタ下流方向へ搬送する構成になっている。
【００２４】
筐体２には、寿命管理手段としてのプリンタ制御部３０と、高周波（以下「ＲＦ」という。）読み書き制御部３３と、複数のアンテナ部３４（例えば、ブラックアンテナ部３４Ｋ、イエローアンテナ部３４Ｋ、マゼンダアンテナ部３４Ｍ、及びシアンアンテナ部３４Ｃ）と、操作パネル３５等とが設けられている。
【００２５】
プリンタ制御部３０は、プリンタ全体をプログラム制御するものである。このプリンタ制御部３０には、図示しないケーブルを介して、各走行系センサ１４−１〜１４−４、各ＬＥＤヘッド２５、ＲＦ読み書き制御部３３、及び操作パネル３５等が接続されている。各アンテナ部３４は、各画像形成ユニット２０の近傍に配設され、図示しないケーブルを介して、ＲＦ読み書き制御部３３に接続されている。
【００２６】
ＲＦ読み書き制御部３３は、プリンタ制御部３０により制御され、図示しないケーブルを介して、制御信号及び電源電力が供給され、プリンタ制御部３０とのインタフェース（以下「Ｉ／Ｆ」という。）、及び各メモリタグ２２，２４とのデータ読み出し／書き込み等の通信制御を行う機能を有している。各メモリタグ２２，２４は、各アンテナ部３４に対向して配置され、この各アンテナ部３４を介してＲＦ読み書き制御部３３と無線通信可能な構成になっている。ＲＦ読み書き制御部３３は、各アンテナ部３４を介して、各メモリタグ２２，２４に対してマルチリード可能な構成になっている。
【００２７】
操作パネル３５は、筐体２の外側に配設され、例えば、液晶ディスプレイ（ＬＣＤ）による表示部と、複数の押しボタンスイッチによる入力部とを有している。この操作パネル３５は、ユーザへのメッセージの報知や、ユーザからのスイッチ操作によって設定変更が入力される構成になっている。
【００２８】
図１は、本発明の実施例１における図２のプリンタ１の制御機構を示す構成ブロック図である。
【００２９】
プリンタ制御部３０は、プリンタ全体を制御するためのプログラムに従って、プリンタ１の各動作の制御や、各種処理を実行する機能を有し、例えば、図示しない中央処理装置（以下「ＣＰＵ」という。）、第２の記憶部としての不揮発性メモリ（例えば、電気的消去可能なプログラムメモリ、以下「ＥＥＰＲＯＭ」という。）３１、一時記憶用の揮発性メモリとしての随時読み書き可能なメモリ（以下「ＲＡＭ」という。）３２、及び図示しない入出力ポート等により構成されている。
【００３０】
プリンタ制御部３０には、図示しない入出力ポートを介し、ＲＦ読み書き制御部３３、操作パネル３５、高圧制御部３６、及び画像形成ユニット用モータ３７が接続されている。ＲＦ読み書き制御部３３には、各アンテナ部３４（＝３４Ｋ，３４Ｙ，３４Ｍ，３４Ｃ）が接続され、更に、高圧制御部３６には、各画像形成ユニット２０（＝２０Ｋ，２０Ｙ，２０Ｍ，２０Ｃ）が接続されている。図示しないが、プリンタ制御部３０には、更に、定着部２６、各走行系センサ１４−１〜１４−４、給紙ローラ１２、レジストローラ１３−１，１３−２、搬送ベルト１７を含む給紙・搬送機構を駆動するモータ、及び、定着部２６を駆動するモータ等も接続されて制御される。
【００３１】
図３は、図１中の各メモリタグ２２のメモリ構造を示す模式図である。
各メモリタグ２２（＝２２Ｋ，２２Ｙ，２２Ｍ，２２Ｃ）には、消耗品情報として、例えば、各画像形成ユニット２０（＝２０Ｋ，２０Ｙ，２０Ｍ，２０Ｃ）の使用量情報としての印刷ページ数情報Ａ、寿命情報としての寿命ページ数情報Ｂ、及び、使用目的情報としての種別情報Ｃが、アドレスが付されて記憶される。
【００３２】
図１中のプリンタ制御部３０は、各画像形成ユニット２０の使用量を印刷ページ数情報Ａとして計算する機能を有している。印刷ページ数情報Ａは、ブラック（Ｋ）、イエロー（Ｙ）、マゼンダ（Ｍ）、シアン（Ｃ）それぞれの色に対応した各画像形成ユニット２０（＝２０Ｋ，２０Ｙ，２０Ｍ，２０Ｃ）の使用量を画像形成ユニット用モータ３７の駆動時間と駆動速度に応じたＡ４版用紙への印刷ページ数に換算された値である。プリンタ制御部３０は、印刷ページ数情報Ａが印刷ページ数で規定したページ数を超えた場合、各画像形成ユニット２０の寿命と判断して、操作パネル３５、あるいは図示しないインタフェースを介してユーザに交換を促し、印刷を停止する機能を有している。印刷中の回転数情報は、プリンタ制御部３０内のＲＡＭ３２上で更新され、逐次ＥＥＰＲＯＭ３１に記憶される。
【００３３】
図４は、図１中のＥＥＰＲＯＭ３１のメモリ構造を示す模式図である。
ＥＥＰＲＯＭ３１には、消耗品情報として、例えば、搭載されている各画像形成ユニット２０の使用実績である印刷ページ数情報ａ、及び、寿命ページ数情報ｂが、アドレスが付されて記憶される。
【００３４】
（実施例１のプリンタ１の全体の動作）
図２のプリンタ１において、記録媒体格納部１１に格納された記録媒体１０は、給紙ローラ１２によって１枚ずつ給紙され、レジストローラ１３−１，１３−２によってブラック画像形成ユニット２０Ｋまで搬送される。ブラック画像形成ユニット２０Ｋでは、回転する感光ドラム２１Ｋの表面が、図示しない帯電手段により帯電され、この帯電された部分がＬＥＤヘッド２５Ｋの下にくると、ＬＥＤヘッド２５Ｋが露光し、帯電された部分に画像データに基づく静電潜像が形成される。この静電潜像は、図示しない現像ローラにより現像されてブラック（Ｋ）のトナー画像となる。このブラック（Ｋ）のトナー画像は、搬送ベルト１７の下の転写ローラ１８Ｋによって記録媒体１０上に転写される。
【００３５】
同様にして、記録媒体１０は、順次画像形成ユニット２０Ｙ，２０Ｍ，２０Ｃを通過し、その通過過程で、イエロー（Ｙ）、マゼンダ（Ｍ）、シアン（Ｃ）のトナー像が、記録媒体１０上に順次転写されて重ね合わされる。その後、重ね合わされた各色のトナー像が、定着部２６により加熱及び加圧されて定着され、外部の排出スタッカ部２７へ排出される。
【００３６】
以上の過程において、プリンタ制御部３０は、各走行系センサ１４−１〜１４−４の検知結果に基づき、画像形成ユニット用モータ３７等のモータを制御し、給紙ローラ１２、第１、第２のレジストローラ１３−１，１３−２、各感光ドラム２１、各転写ローラ１８、及び定着部２６を駆動させて、記録媒体１０を所定のタイミングで移動させ、カラー画像を記録媒体１０上に形成させる。
【００３７】
（実施例１のプリンタ制御部３０の動作）
図５は、図１のプリンタ制御部３０による各画像形成ユニット２０内の各メモリタグ２２の読み出し時の動作を示すフローチャートである。
【００３８】
各メモリタグ２２の読み出し時の動作は、プリンタ１に電源が入れられた時、及びトップカバー部３が開閉された時に実施される。即ち、画像形成ユニット２０が交換された場合、プリンタ本体側で管理している画像形成ユニットの寿命の情報を更新する必要があるために、プリンタ制御部３０が各メモリタグ２２の記憶情報を読み出して、ＥＥＰＲＯＭ３１の記憶情報を書き換える動作を実行する。
【００３９】
図５の処理が開始されると、ステップＳ１において、プリンタ制御部３０は、トップカバー部３が開閉されたか、あるいは、電源がオンされたか否かの判定を行う。判定結果がイエス（ＹＥＳ）の場合は、ステップＳ２へ移行し、判定結果がノー（ＮＯ）の場合は、ステップＳ１へ戻る。ステップＳ２において、プリンタ制御部３０は、ＲＦ読み書き制御部３３及び各アンテナ部３４を介して、各メモリタグ２２の情報を読み出す。読み出す情報は、シアン（Ｃ）、マゼンダ（Ｍ）、イエロー（Ｙ）、ブラック（Ｋ）それぞれの色に対応した画像形成ユニット２０Ｃ，２０Ｍ，２０Ｙ，２０Ｋの「印刷ページ数Ａ」、「寿命ページ数Ｂ」、及び「種別情報Ｃ」であり、プリンタ制御部３０によりＲＡＭ３２上へ一時記憶した後、ステップＳ３へ移行する。
【００４０】
ステップＳ３において、プリンタ制御部３０は、「印刷ページ数Ａ」が「寿命ページ数Ｂ」以上となっているか否かの判定を行い、判定結果がＹＥＳの場合はステップＳ４へ移行し、判定結果がＮＯの場合はステップＳ５へ移行する。ステップＳ４において、プリンタ制御部３０は、操作パネル３５へ、画像形成ユニット２０の交換を報知する。その後、処理を移行する。ステップＳ５へ移行した場合、プリンタ制御部３０は、画像形成ユニット２０の「種別情報Ｃ」が「保守交換品」であるか否かの判定を行い、判定結果がＹＥＳの場合はステップＳ６へ移行し、判定結果がＮＯの場合はステップＳ９へ移行する。
【００４１】
ステップＳ６へ移行した場合、プリンタ制御部３０は、ＥＥＰＲＯＭ３１に記憶された画像形成ユニット２０の情報である「印刷ページ数ａ」と「寿命ページ数ｂ」を読み出し、ＲＡＭ３２上へ一時記憶させた後、ステップＳ７へ移行する。ステップＳ７において、プリンタ制御部３０は、ＲＦ読み書き制御部３３及びアンテナ部３４を介して、メモリタグ２２に残り寿命情報としての新寿命値を書き込む。この書き込み動作では、画像形成ユニット２０の情報である「寿命ページ数Ｂ」に、（「寿命ページ数ｂ」−「印刷ページ数ａ」）の計算結果を代入する。代入後、ステップＳ８へ移行する。
【００４２】
ステップＳ８において、プリンタ制御部３０は、ＲＦ書き込み制御部３３及びアンテナ部３４を介して、メモリタグ２２に種別情報を書き込む。この書き込み動作では、画像形成ユニット２０の情報である「種別情報Ｃ」に、「標準品」を代入する。代入後、ステップＳ９へ移行する。ステップＳ９において、プリンタ制御部３０は、ＥＥＰＲＯＭ３１に情報を書き込む。この書き込み動作では、画像形成ユニット２０の情報である「印刷ページ数ａ」に対して、ＲＡＭ３２上に一時記憶された「印刷ページ数Ａ」の値を代入する。代入後、ステップＳ１０へ移行する。
【００４３】
ステップＳ１０において、プリンタ制御部３０は、ＥＥＰＲＯＭ３１に情報を書き込む。この書き込み動作では、画像形成ユニット２０の情報である「寿命ページ数ｂ」へ、ＲＡＭ３２上に一時記憶された「寿命ページ数Ｂ」の値を代入する。その後、処理を終了する。
【００４４】
図６は、図１のプリンタ制御部３０による各画像形成ユニット２０内の各メモリタグ２２への書き込み時の動作を示すフローチャートである。
【００４５】
プリンタ制御部３０による各メモリタグ２２への書き込み時の動作は、プリンタ１の印刷ジョブの終了時に実行される。即ち、各画像形成ユニット２０の使用量情報である「画像形成ユニットの回転数値」が進んだ時であって、且つプリンタ１のスタンバイ（待機状態）へ移行する時に実行する。
【００４６】
処理が開始されると、ステップＳ２１において、プリンタ制御部３０は、プリンタ１の印刷ジョブが終了したか否かを判定し、判定結果がＹＥＳの場合はステップＳ２２へ移行し、判定結果がＮＯの場合はステップＳ２１へ戻る。ステップＳ２２において、プリンタ制御部３０は、ＥＥＰＲＯＭ３１に記憶された「印刷ページ数ａ」と「寿命ページ数ｂ」の情報を読み出し、ＲＡＭ３２上へ一時記憶させた後、ステップＳ２３へ移行する。ステップＳ２３において、プリンタ制御部３０は、ＲＦ読み書き制御部３３及びアンテナ部３４を介して、メモリタグ２２に、新印刷ページ数値を書き込む。この書き込み動作では、「印刷ページ数Ａ」へ、ＲＡＭ３２上に一時記憶された「印刷ページ数ａ」の値を代入する。代入後、ステップＳ２４へ移行する。
【００４７】
ステップＳ２４において、プリンタ制御部３０は、画像形成ユニット２０の情報である「印刷ページ数ａ」が「寿命ページ数ｂ」以上となっているか否かを判定する。判定結果がＹＥＳの場合はステップＳ２５へ移行し、判定結果がＮＯの場合は処理を終了する。ステップＳ２５において、プリンタ制御部３０は、操作パネル３５へ、画像形成ユニット２０の交換を報知し、その後、処理を終了する。
【００４８】
次に、図５のフローチャートの具体例を説明する。
この具体例では、交換前の画像形成ユニット２０（１）が持つメモリタグ２２（１）には、「印刷ページ数Ａ＝１０，０００」、「寿命ページ数Ｂ＝３０，０００」、及び「種別情報Ｃ＝標準品」の情報が記憶され、ＥＥＰＲＯＭ３１には、「印刷ページ数ａ＝１０，０００」、及び「寿命ページ数ｂ＝３０，０００」の情報が記憶された状態、即ち、残り２０，０００ページ印刷可能な状態にて、ユーザが保守交換を依頼した場合を想定する。
【００４９】
保守交換用の画像形成ユニット２０（２）が持つメモリタグ２２（２）には、「印刷ページ数Ａ＝０」、「寿命ページ数Ｂ＝３０，０００」、及び「種別情報Ｃ＝保守交換品」の情報が記憶されており、トップカバー部３を保守員が開けて、画像形成ユニット２０（２）に入れ換えて再度トップカバー部３を閉じる。
【００５０】
図５のステップＳ２において、プリンタ制御部３０は、メモリタグ２２（２）に記憶された「印刷ページ数Ａ＝０」、「寿命ページ数Ｂ＝３０，０００」、及び「種別情報Ｃ＝保守交換品」の情報を読み出し、ＲＡＭ３２上に一時記憶する。ステップＳ３において、プリンタ制御部３０は、「印刷ページ数Ａ＝０」が「寿命ページ数Ｂ＝３０，０００」以上か否かの判定を行い、判定結果がＮＯであるため、ステップＳ５へ移行する。
【００５１】
ステップＳ５において、プリンタ制御部３０は、ＲＡＭ３２上に記憶された画像形成ユニット２０（２）の「種別情報Ｃ」を読み出して、「種別Ｃ＝保守交換品」か否かの判定を行い、判定結果がＹＥＳであるので、ステップＳ６へ移行する。ステップＳ６において、プリンタ制御部３０は、ＥＥＰＲＯＭ３１に記憶された「印刷ページ数ａ＝１０，０００」、及び「寿命ページ数ｂ＝３０，０００」の情報を読み出して、ＲＡＭ３２上に一時記憶する。ステップＳ７において、プリンタ制御部３０は、メモリタグ２２（２）の情報「寿命ページ数Ｂ」に、新寿命値として、（「印刷ページ数ｂ」−「寿命ページ数ａ」）より計算される「２０，０００」を書き込む。
【００５２】
ステップＳ８において、プリンタ制御部３０は、メモリタグ２２（２）の情報「種別情報Ｃ」に、“標準品”を書き込む。ステップＳ９において、プリンタ制御部３０は、ＥＥＰＲＯＭ３１の情報「印刷ページ数ａ」に、「０」を書き込む。ステップＳ１０において、プリンタ制御部３０は、ＥＥＰＲＯＭ３１の情報「寿命ページ数ｂ」に、「２０，０００」を書き込む。交換後の画像形成ユニット２０（２）の識別子（以下「ＩＤ」という。）が「保守交換品」であれば、メモリタグ２２（２）の情報「寿命ページ数Ｂ」が“２０，０００”に書き換えられるため、残り２０，０００ページ印刷可能な状態が保たれる。
【００５３】
プリンタ制御部３０は、画像形成ユニット２０の使用量を基に、経時変化を補正するように、高圧制御部３６が出力する高電圧バイアス値を制御する。これにより、初期から寿命まで安定した画質が保証される。従って、保守用に交換された後の画像形成ユニット２０（２）は、使用量を示す回転数値が“０”のまま変更がないため、最適な高電圧バイアス値に制御される。
【００５４】
（実施例１の効果）
本実施例１によれば、次の（ａ）、（ｂ）のような効果がある。
【００５５】
（ａ）  各画像形成ユニット２０が有する各メモリタグ２２に、保守交換品であることを示す種別情報Ｃを持たせることによって、ユーザから要求にてサービス員が、故障した画像形成ユニット２０の交換を実施する場合、交換後の画像形成ユニット２０の寿命を、（「交換前の寿命」−「交換前使用量」）と変更する。そのため、消耗品である画像形成ユニット２０の交換前後でトータルの寿命が同一になり、正確な寿命管理ができる。
【００５６】
（ｂ）  アンテナ部３４と各メモリタグ２２，２４との間において、無線により情報の授受を行っているので、プリンタ１内の電気配線を簡略化できる。
【実施例２】
【００５７】
実施例１の構成では、保守交換用の画像形成ユニット２０（２）と交換前の標準品の画像形成ユニット２０（１）の差異が種別設定だけである場合、故障や不良が無くとも本来の印刷可能枚数まで使用せずに“寿命”とするため、別の機会に再利用して本来設定されていた印刷可能枚数まで使い切ることができないという問題がある。そこで、本実施例２では、そのような問題を解消するために、以下のように構成している。
【００５８】
（実施例２の構成）
図７は、本発明の実施例２におけるＥＥＰＲＯＭのメモリ構造を示す模式図である。
【００５９】
本実施例２では、実施例１の図１に示すＥＥＰＲＯＭ３１に代えて、これとは記憶情報の異なるＥＥＰＲＯＭ４１が、図１に示すプリンタ制御部３０内に設けられている。ＥＥＰＲＯＭ４１には、消耗品情報として、例えば、搭載されている各画像形成ユニット２０の使用実績である印刷ページ数情報ａ、寿命ページ数情報ｂ、及び不足印刷ページ数情報ｄが、アドレスが付されて記憶される。
【００６０】
本実施例２においては、サービス業者が回収した使用済画像形成ユニット２０の種別情報Ｃを標準品から、保守交換品へ書き換える手段を持っている場合にて説明する。即ち、新品でない画像形成ユニット２０（２）を保守交換品として再利用する場合である。不足印刷ページ数情報ｄは、保守交換した画像形成ユニット２０（２）では交換前の残り使用可能量に満たない場合の寿命不足情報である。
【００６１】
その他の図１及び図２に示すプリンタ１の構成と、図３に示すメモリタグ２２の構造とは、実施例１と同様である。
【００６２】
（実施例２の動作）
図８は、図１のプリンタ制御部３０による各画像形成ユニット２０内の各メモリタグ２２の読み出し時の動作を示すフローチャートであり、実施例１を示す図５中の要素と共通の要素には共通の符号が付されている。
【００６３】
本実施例２を示す図８のフローチャートでは、実施例１を示す図５のフローチャート中のステップＳ６，Ｓ７に代えて、ステップＳ１１〜Ｓ１５が設けられている。
【００６４】
本実施例２において、各メモリタグ２２の読み出し時の動作は、実施例１と同様に、プリンタ１に電源が入れられた時、及びトップカバー部３が開閉された時に実施される。即ち、各画像形成ユニット２０が交換された場合、プリンタ本体側で管理している寿命の情報を更新する必要があるために、各メモリタグ２２の記憶情報を読み出して、ＥＥＰＲＯＭ４１の記憶情報を書き換える動作を実行する。
【００６５】
処理が開始されると、実施例１のステップＳ１〜Ｓ５と同様に、先ず、ステップＳ１において、プリンタ制御部３０は、トップカバー部３が開閉されたか、あるいは、電源がオンか否かの判定を行い、判定結果がＹＥＳの場合はステップＳ２へ移行し、判定結果がＮＯの場合はステップＳ１に戻る。ステップＳ２において、プリンタ制御部３０は、ＲＦ読み書き制御部３３及びアンテナ部３４を介して、各メモリタグ２２に記憶された情報（「印刷ページ数Ａ」、「寿命ページ数Ｂ」及び「種別情報Ｃ」）を読み出し、ＲＡＭ３２上へ一時記憶して、ステップＳ３へ移行する。
【００６６】
ステップＳ３において、プリンタ制御部３０は、「印刷ページ数Ａ」が「寿命ページ数Ｂ」以上となっているか否かを判定し、判定結果がＹＥＳの場合はステップＳ４へ移行し、判定結果がＮＯの場合はステップＳ５へ移行する。ステップＳ４へ移行した場合、プリンタ制御部３０は、操作パネル３５へ画像形成ユニット２０の交換を報知し、その後、処理を終了する。ステップＳ５へ移行した場合、プリンタ制御部３０は、「種別情報Ｃ」が「保守交換品」であるか否かを判定し、判定結果がＹＥＳの場合にはステップＳ１１へ移行し、判定結果がＮＯの場合にはステップＳ９へ移行する。
【００６７】
ステップＳ１１において、プリンタ制御部３０は、ＥＥＰＲＯＭ４１に記憶された情報（「印刷ページ数ａ」、「寿命ページ数ｂ」及び「不足印刷ページ数情報ｄ」）を読み出し、ＲＡＭ３２上へ一時記憶し、ステップＳ１２へ移行する。ステップＳ１２において、プリンタ制御部３０は、交換後の画像形成ユニット２０（２）の残りの使用量（＝「寿命ページ数Ｂ」−「印刷ページ数Ａ」）が、交換前の画像形成ユニット２０（１）の残りの使用量（＝「寿命ページ数ｂ」−「印刷ページ数ａ」＋「不足印刷ページ数情報ｄ」）以上かどうかを判定し、判定結果がＹＥＳの場合はステップＳ１３へ移行し、判定結果がＮＯの場合にはステップＳ１５へ移行する。
【００６８】
ステップＳ１３へ移行した場合、プリンタ制御部３０は、メモリタグ２２に新寿命値を書き込む。この書き込み動作では、「寿命ページ数Ｂ」に、（「寿命ページ数ｂ」−「印刷ページ数ａ」＋「印刷ページ数Ａ」＋「不足印刷ページ数情報ｄ」）の計算結果を代入する。その後、ステップＳ１４へ移行する。ステップＳ１４において、プリンタ制御部３０は、ＥＥＰＲＯＭ４１に、情報を書き込む。この書き込み動作では、「不足印刷ページ数情報ｄ」に、「０」を代入する。その後、ステップＳ８へ移行する。ステップＳ８において、プリンタ制御部３０は、実施例１と同様に、メモリタグ２２に種別情報を書き込む。この書き込み動作では、「種別情報Ｃ」に、「標準品」であることを書き込む。その後、ステップＳ９へ移行する。
【００６９】
ステップＳ１５へ移行した場合、プリンタ制御部３０は、ＥＥＰＲＯＭ４１に情報を書き込む。この書き込み動作では、「不足印刷ページ数情報ｄ」に対して、（「寿命ページ数ｂ」−「印刷ページ数ａ」−「寿命ページ数Ｂ」＋「印刷ページ数Ａ」＋「不足印刷ページ数情報ｄ」）の計算結果を代入する。その後、ステップＳ８へ移行する。
【００７０】
ステップＳ９において、プリンタ制御部３０は、実施例１と同様に、ＥＥＰＲＯＭ４１に情報を書き込む。この書き込み動作では、「印刷ページ数ａ」へ、ＲＡＭ３２上に一時記憶された「印刷ページ数Ａ」の値を代入する。その後、ステップＳ１０へ移行する。ステップＳ１０において、プリンタ制御部３０は、実施例１と同様に、ＥＥＰＲＯＭ４１の情報を書き込む。この書き込み動作では、「寿命ページ数ｂ」へ、ＲＡＭ３２上に一時記憶された「寿命ページ数Ｂ」の値を代入する。その後、処理を終了する。
【００７１】
図９は、図１のプリンタ制御部３０による各画像形成ユニット２０内の各メモリタグ２２への書き込み時の動作を示すフローチャートである。
【００７２】
プリンタ制御部３０による各メモリタグ２２への書き込み時の動作は、実施例１と同様に、プリンタ１の印刷ジョブの終了時に実行される。即ち、各画像形成ユニット２０の使用量情報である「画像形成ユニットの回転数値」が進んだ時であって、且つプリンタ１のスタンバイへ移行する時に実行する。
【００７３】
処理が開始されると、ステップＳ３１において、プリンタ制御部３０は、印刷ジョブが終了したか否かを判定し、判定結果がＹＥＳ場合はステップＳ３２へ移行し、判定結果がＮＯの場合はステップＳ３１へ戻る。ステップＳ３２において、プリンタ制御部３０は、ＥＥＰＲＯＭ４１に記憶された情報（「印刷ページ数ａ」、「寿命ページ数ｂ」及び「不足印刷ページ数情報ｄ」）を読み出し、ＲＡＭ３２上へ一時記憶した後、ステップＳ３３へ移行する。
【００７４】
ステップＳ３３において、プリンタ制御部３０は、「印刷ページ数ａ」が「寿命ページ数ｂ」以上となっているか否かを判定し、判定結果がＹＥＳの場合にはステップＳ３４へ移行し、判定結果がＮＯの場合にはステップＳ３７へ移行する。ステップＳ３４へ移行した場合、プリンタ制御部３０は、「不足印刷ページ数情報ｄ」が「０」であるかどうかを判定し、判定結果がＹＥＳの場合にはステップＳ３５へ移行し、判定結果がＮＯの場合にはステップＳ３６へ移行する。
【００７５】
ステップＳ３４へ移行した場合、プリンタ制御部３０は、操作パネル３５へ画像形成ユニット２０の交換を報知し、その後、ステップＳ３７へ移行する。ステップＳ３６へ移行した場合、プリンタ制御部３０は、操作パネル３５へ、画像形成ユニット２０の交換とサービス業者への画像形成ユニット２０の要求を報知し、その後、ステップＳ３７へ移行する。
【００７６】
ステップＳ３７において、プリンタ制御部３０は、メモリタグ２２に新印刷ページ数を書き込んだ後に処理を終了する。その書き込み動作では、「印刷ページ数Ａ」へ、ＲＡＭ３２上に一時記憶された「印刷ページ数ａ」の値を代入する。
【００７７】
プリンタ制御部３０は、シアン（Ｃ）、マゼンダ（Ｍ）、イエロー（ｙ）、及びブラック（Ｋ）それぞれの色に対応した各画像形成ユニット２０の使用量を、印刷ページ数情報として計算する。印刷ページ数情報は、画像形成ユニット用モータ３７の駆動時間と駆動速度とに応じたＡ４版用紙への印刷ページ数に換算された値である。使用量が寿命値を超えた場合、画像形成ユニット２０の寿命と判断して、操作パネル３５あるいは図示しないインタフェースを介してユーザに交換を促し、印刷を停止する。印刷中の印刷ページ数情報は、ＲＡＭ３２上で更新され、逐次ＥＥＰＲＯＭ４１へ記憶される。
【００７８】
次に、図８及び図９のフローチャートの具体例を説明する。
この具体例では、交換前の画像形成ユニット２０（１）が持つメモリタグ２２（１）には、「印刷ページ数Ａ＝１０，０００」、「寿命ページ数Ｂ＝３０，０００」、及び「種別情報Ｃ＝標準品」の情報が記憶され、ＥＥＰＲＯＭ４１には、「印刷ページ数ａ＝１０，０００」、「寿命ページ数ｂ＝３０，０００」、及び「不足印刷ページ数ｄ＝０」の情報が記憶された状態、即ち、残り２０，０００ページ印刷可能な状態にて、ユーザが保守交換を依頼した場合を想定する。
【００７９】
保守交換用の画像形成ユニット２０（２）が持つメモリタグ２２（２）には、「印刷ページ数Ａ＝１５，０００」、「寿命ページ数Ｂ＝３０，０００」、及び「種別情報Ｃ＝保守交換品」の情報が記憶されており、トップカバー部３を保守員が開けて、画像形成ユニット２０（２）に入れ換えて再度トップカバー部３を閉じる。
【００８０】
図８のステップＳ２において、プリンタ制御部３０は、メモリタグ２２（２）に記憶された情報（「印刷ページ数Ａ＝１５，０００」、「寿命ページ数Ｂ＝３０，０００」、及び「種別情報Ｃ＝保守交換品」）を読み出し、ＲＡＭ３２上に一時記憶する。ステップＳ３において、プリンタ制御部３０は、ＲＡＭ３２上に記憶された「印刷ページ数Ａ」が「寿命ページ数Ｂ」以上か否かを判定し、判定結果がＮＯであるため、ステップＳ５へ移行する。
【００８１】
ステップＳ５において、プリンタ制御部３０は、ＲＡＭ３２上に記憶された「画像形成ユニット種別情報Ｃ」を読み出し、「保守交換品」か否かの判定を行い、判定結果が「保守交換品」であるため、ステップＳ１１へ移行する。ステップＳ１１において、プリンタ制御部３０は、ＥＥＰＲＯＭ４１に記憶された情報（「印刷ページ数ａ＝１０，０００」、「寿命ページ数ｂ＝３０，０００」、及び「不足印刷ページ数ｄ＝０」）を読み出し、ＲＡＭ３２上に一時記憶する。
【００８２】
ステップＳ１２において、プリンタ制御部３０は、（「寿命ページ数Ｂ」−「印刷ページ数Ａ」）が、（「寿命ページ数ｂ」−「印刷ページ数ａ」＋「不足印刷ページ数ｄ」）以上か否かを判定し、判定結果がＮＯであるため、ステップＳ１５へ移行する。ステップＳ１５において、プリンタ制御部３０は、ＥＥＰＲＯＭ４１内の「不足印刷ページ数ｄ」へ「５，０００」を書き込む。ステップＳ８において、プリンタ制御部３０は、メモリタグ２２（２）内の「種別情報Ｃ」に「標準品」を書き込む。
【００８３】
ステップＳ９において、プリンタ制御部３０は、ＥＥＰＲＯＭ４１内の「印刷ページ数ａ」に、「印刷ページ数Ａ＝１５，０００」を書き込む。ステップＳ１０において、プリンタ制御部３０は、ＥＥＰＲＯＭ４１内の「寿命ページ数ｂ」に、「寿命ページ数Ｂ＝３０，０００」を書き込む。
【００８４】
残印刷可能ページ数（Ｂ−Ａ＝２０，０００）に対して、交換後のＩＤが保守交換品であり、この保守交換品の残印刷可能ページ数（ｂ−ａ＝１５，０００）であって、５，０００ページ分不足する。プリンタ制御部３０は、ＥＥＰＲＯＭ４１内の「不足印刷ページ数ｄ」へ「５，０００」を記憶する。
【００８５】
その後、ユーザが画像形成ユニット２０（２）を寿命まで使用した場合、「印刷ページ数ａ＝３０，０００」に到達する。
【００８６】
図９のステップＳ３３において、プリンタ制御部３０は、ＥＥＰＲＯＭ４１から読み出した「印刷ページ数ａ」が「寿命ページ数ｂ」以上が否かを判定し、判定結果がＹＥＳであるため、ステップＳ３４へ移行する。ステップＳ３４において、プリンタ制御部３０は、ＥＥＰＲＯＭ４１から読み出した「不足印刷ページ数ｄ」が「０」か否かの判定を行い、判定結果がＮＯであるため、ステップＳ３６へ移行する。
【００８７】
ステップＳ３６において、プリンタ制御部３０は、操作パネル３５へ「画像形成ユニットの交換」の報知と、サービス業者への「代わりの画像形成ユニットの要求」とを報知する。ステップＳ３７において、プリンタ制御部３０は、メモリタグ２２（２）に、新印刷ページ数値である「印刷ページ数Ａ＝３０，０００」を書き込み、処理を終了する。
【００８８】
（実施例２の効果）
本実施例２によれば、ＥＥＰＲＯＭ４１に画像形成ユニット不足印刷ページ数の記憶領域を持たせることによって、保守用で交換された画像形成ユニット２０（２）の残りの使用可能量が交換前の使用可能量よりも少ない場合、動作が継続でき、保守交換の作業の現場で新たな画像形成ユニット２０を準備しておく必要がない。保守用で交換した画像形成ユニット２０（２）の寿命がきた場合、再度サービス業者への要求を促すことができる。
【００８９】
（実施例１、２の変形例）
本発明は、上記実施例１、２に限定されず、種々の利用形態や変形が可能である。この利用形態や変形例としては、例えば、次の（Ｉ）〜（ＩＶ）のようなものがある。
【００９０】
（Ｉ）  プリンタ１の全体の構成、及び、画像形成ユニット２０の構成は、図示以外の構成に変更しても良い。
【００９１】
（ＩＩ）  プリンタ制御部３０は、リード線及び接触端子を用いた有線により、各メモリタグ２２，２４に対して情報の読み出し及び書き込みを行う構成にしても良い。
【００９２】
（ＩＩＩ）  ＥＥＰＲＯＭ３１，４１は、他の不揮発性メモリを用いた記憶部により構成しても良い。
【００９３】
（ＩＶ）  実施例１、２では、画像形成装置としてプリンタ１について説明したが、本発明は、消耗品の寿命管理を行うファクシミリ装置、複写機、複合機（ＭＦＰ）等の他の画像形成装置を含むＯＡ（Office  Automation）機器等であっても適用が可能である。
【符号の説明】
【００９４】
１      プリンタ
３      トップカバー部
１０      記録媒体
２０，２０Ｋ，２０Ｙ，２０Ｍ，２０Ｃ      画像形成ユニット
２２，２２Ｋ，２２Ｙ，２２Ｍ，２２Ｃ，２４，２４Ｋ，２４Ｙ，２４Ｍ，２４Ｃ      メモリタグ
３０      プリンタ制御部
３１，４１      ＥＥＰＲＯＭ
【図１】
0005639924.tif 000002
【図２】
0005639924.tif 000003
【図３】
0005639924.tif 000004
【図４】
0005639924.tif 000005
【図５】
0005639924.tif 000006
【図６】
0005639924.tif 000007
【図７】
0005639924.tif 000008
【図８】
0005639924.tif 000009
【図９】
0005639924.tif 000010